(57)【要約】【課題】壁面と蔓性植物との間に間隔を設け、蔓性植物が壁面や補助板に絡まることがなく、設置が容易で手間のかからない壁面緑化用パネルを提供する。【解決手段】  壁面緑化用パネル１は、補助板２と壁面９との間に登攀空間を設け、左右方向に対して伸びるスパイラル状の線材５を設けるとともに、地面から浮かせた状態で壁面９に固定金具６で固定し、補助板２と壁面９と線材５とに囲まれた登攀空間内を蔓性植物が登攀することで、建物の壁面９を覆う。【選択図】図１
2008011775.tif 000002
【特許請求の範囲】
【請求項１】
蔓性植物を登攀させて壁面の緑化を促進する壁面緑化用パネルであって、
線材によって形成され、内部に前記蔓性植物の登攀空間を有することを特徴とする壁面緑化用パネル。
【請求項２】
前記登攀空間は、左右方向に対して伸びるスパイラル状の線材によって形成される請求項１に記載の壁面緑化用パネル。
【請求項３】
前記登攀空間は、左右方向に対して伸びる波形状の線材によって形成される請求項１に記載の壁面緑化用パネル。
【請求項４】
請求項１乃至３の何れかに記載の壁面緑化用パネルを地面から浮かせた状態で壁面に直接固定して、前記壁面緑化用パネルの下方に蔓性植物を植生させ、前記壁面緑化用パネルの登攀空間内に蔓性植物を登攀させて前記壁面の緑化を行うことを特徴とする壁面緑化方法。
【発明の詳細な説明】
【技術分野】
【０００１】
本発明は、壁面を緑化することで、気温や紫外線から壁面の老化を緩和させる壁面緑化用パネルとそのパネルを用いた壁面緑化方法に関するものである。
【背景技術】
【０００２】
このような壁面緑化用パネルにおいて、従来は、壁面を緑化する場合、壁面に対して一定の間隔を取るように壁面と地面とに対して補助具を接地し、蔓性植物を植培することによって、植物による柔らかく美しい景観を醸し出し、壁面を覆うことで気温変化や熱線、紫外線による壁面の老朽化を緩和させる方法が一般的である(特許文献１，２参照)。
【０００３】
【特許文献１】特開平８−２０９５１号公報
【特許文献２】特開平９−１４４１２９号公報
【発明の開示】
【発明が解決しようとする課題】
【０００４】
しかしながら、上記した蔓性植物を植培する方法は、壁面と地面とに接地させて固定することから地面の状態に左右されることが多く、設置に手間がかかり、壁面と一定の距離を保つことが難しい。また、補助具に蔓性植物を繁茂させる方法では、蔓性植物が絡みながら植培するので、植物が枯れたときや不要になったときに補助具に絡み付いて残ってしまう。他には、地面に壁面緑化用パネルの取付部分があることから、蔓性植物を植えたり、取り除くことが容易に行えないといった問題がある。
【０００５】
本発明の目的は、上記従来の壁面緑化用パネルの問題点を解消し、容易に設置を行えることと、蔓性植物が壁面と補助具との間で繁茂し、補助具に絡むことを最小限に抑える壁面緑化用パネルを提供することにある。
【課題を解決するための手段】
【０００６】
かかる本発明のうち請求項１に記載された発明の構成は、蔓性植物を登攀させて壁面の緑化を促進する壁面緑化用パネルであって、線材によって形成され、内部に前記蔓性植物の登攀空間を有することにある。
【０００７】
請求項２に記載された発明の構成は、登攀空間は、左右方向に対して伸びるスパイラル状の線材によって形成されることにある。
【０００８】
請求項３に記載された発明の構成は、登攀空間は、左右方向に対して伸びる波形状の線材によって形成されることにある。
【０００９】
請求項４に記載された発明の構成は、壁面緑化用パネルを地面から浮かせた状態で壁面に直接固定して、前記壁面緑化用パネルの下方に蔓性植物を植生させ、前記壁面緑化用パネルの登攀空間内に蔓性植物を登攀させて前記壁面の緑化を行う方法にある。
【発明の効果】
【００１０】
請求項１の壁面緑化用パネルは、壁面との間に空間を設け、前記補助板と線材との間を蔓性植物が登攀し、線材に絡み付くことなく建物の壁面を覆うことができる。
【００１１】
請求項２の壁面緑化用パネルは、左右方向に対して伸びるスパイラル状の線材が形成されていることにより、登攀空間の側面だけでなく、登攀空間内にもスパイラル状の線材が入ることで蔓性植物を補助することができる。
【００１２】
請求項３の壁面緑化用パネルは、左右方向に対して伸びる波状の線材が形成されていることにより、登攀空間の側面だけでなく、登攀空間内にも波状の線材が入ることで蔓性植物を補助することができる。
【００１３】
請求項４の壁面緑化方法は、地面から浮かせた状態で壁面緑化パネルを壁面に固定することで、地面の状態を考慮することがなく、設置が容易で手間がかからない。更に、地面に壁面緑化用パネルがないことから、蔓性植物を植えたり、取り除くことが容易に行える。また、登攀空間内を蔓性植物が登攀することから、補助板に直接登攀させないので、絡み付くことがない。
【発明を実施するための最良の形態】
【００１４】
以下、本発明の壁面緑化用パネルの実施形態について、図面に基づいて詳細に説明する。
【００１５】
図１は、実施例の壁面緑化用パネル１の斜視図を示したものである。図２は、壁面緑化用パネル１の側面図である。図３は、壁面緑化用パネル１を壁面９に設置した状態の参考図である。
【００１６】
壁面緑化用パネル１は、補助板２と、補助板２に対して所定間隔をおいて配置され、左右方向に対して伸びるスパイラル状の線材５とによって形成され、スパイラル状の線材５によって内部に蔓性植物の登攀空間が形成される。補助板２は、線材３，４を格子状に組み合わせて形成したものである。
【００１７】
上記の如く構成された壁面緑化用パネル１を地面から浮かせた状態で、スパイラル状の線材５側を壁側に向けて壁面９に固定金具６で固定して、壁面緑化用パネル１の下方に蔓性植物を植生させる。すると、壁面緑化用パネル１の登攀空間内に蔓性植物が登攀して壁面９の緑化が行われる。
【００１８】
壁面緑化用パネル１は、壁面９との間に空間を設け、補助板２と線材５との間を蔓性植物が登攀して、線材３，４に絡み付くことなく建物の壁面９を覆うことができる。
【００１９】
また、左右方向に対して伸びるスパイラル状の線材５が壁面緑化用パネル１に形成されていることにより、登攀空間の側面だけでなく、登攀空間内にもスパイラル状の線材５が入ることで蔓性植物を補助することができる。
【００２０】
壁面緑化用パネル１による壁面緑化方法は、地面から浮かせた状態で壁面緑化パネル１を壁面９に固定することで、地面の状態を考慮することがなく、設置が容易で手間がかからない。更に、地面に壁面緑化用パネル１がないことから、蔓性植物を植えたり、取り除くことが容易に行える。また、登攀空間内を蔓性植物が登攀することから、補助板２に直接登攀させないので、絡み付くことがない。
【００２１】
なお、本発明の壁面緑化用パネルの構成は、上記実施形態の態様に何ら限定されるものではなく、線材の形状、材質、配置方法、構造等の構成を、本発明の趣旨を逸脱しない範囲で必要に応じて適宜変更することができる。
【００２２】
たとえば、壁面緑化用パネル１を構成するスパイラル状の線材５は、図４のように波形状の線材７であっても良い。この場合、図５のように、線材５の波形状の高さが壁面９と補助板２との間の距離を埋めることで登攀空間が形成される。このパネル１も図６に示すように線材７側と壁側に向けて固定金具６で固定すれば、蔓性植物が登攀空間内をつたって繁茂することで壁面緑化が行われる。
【００２３】
ここでは、左右方向に対して伸びる波状の線材７が、壁面緑化用パネル１に形成されていることにより、登攀空間の側面だけでなく、登攀空間内にも波状の線材７が入ることで蔓性植物を補助することができる。特に、この変更によれば、スパイラル状の線材５に比べて、壁面緑化用パネル１の軽量化と、コストの低減とが可能である。
【００２４】
更に、図７のように線材３の方向に垂直であって、線材４と線材５との機能を一体化した台形状の線材８に変更しても良い。この場合、図８のように、線材８を鉛直方向にして壁面９に固定すれば良く、蔓性植物が線材８で形成される登攀空間内をつたって繁茂することにより壁面緑化が行われる。
【００２５】
すなわち、線材３の方向に垂直で、線材４と線材５との機能を一体化した台形状の線材８は、線材８を鉛直方向にして壁面９に固定すれば良く、蔓性植物が線材８で形成される登攀空間内をつたって繁茂することにより壁面緑化が行われる。特に、この変更によれば、線材４と線材５との機能を一体化することによって、波状の線材７に比べて、壁面緑化用パネル１の軽量化と、コストの低減とが可能である。
【図面の簡単な説明】
【００２６】
【図１】壁面緑化用パネルを示す斜視図である。
【図２】壁面緑化用パネルを示す正面図である。
【図３】壁面緑化用パネルの実施例を示す側面図である。
【図４】線材５をスパイラル状から波形状に変更した変更例を示す斜視図である。
【図５】線材５をスパイラル状から波形状に変更した変更例を示す側面図である。
【図６】線材４と鋼線５とを一体化して台形状に変更した変更実施例を示す側面図である。
【図７】線材４と線材５とを一体化して台形状に変更した変更実施例を示す斜視図である。
【図８】線材４と線材５とを一体化して台形状に変更した変更実施例を示す側面図である。
【符号の説明】
【００２７】
１・・壁面緑化用パネル、２・・補助板、３・・線材(垂直方向)、４・・線材(鉛直方向)、５・・線材(スパイラル状)、６・・固定金具、７・・線材(波形状)、８・・線材(台形状)、９・・壁面。
【図１】
2008011775.tif 000003
【図２】
2008011775.tif 000004
【図３】
2008011775.tif 000005
【図４】
2008011775.tif 000006
【図５】
2008011775.tif 000007
【図６】
2008011775.tif 000008
【図７】
2008011775.tif 000009
【図８】
2008011775.tif 000010